(57)【要約】      （修正有）【課題】  体積が小さく、収納し易い折畳式ごみ容器を提供する。【解決手段】  複数の折り線１１を有する板紙１０を、前記折り線１１を介して上部に開口を有する所望筒形状に成型可能とし、前記筒形状の側壁部１０ａの底端部に連設した両面テープを設けた複数の底部プレート１２を互いに貼り合わせて底部を有する箱体１を成型し、該箱体の内面部には上部開口の有底のビニール袋２０を設置して折畳式ごみ容器を構成し、該ビニール袋２０の上縁両側には前記箱体の上部開口より外方に突出する山形状の耳部２１が設けられることを特徴とする。【選択図】図１
0003108769.tif 000002
【実用新案登録請求の範囲】
【請求項１】
複数の折り線を有する板紙を、前記折り線を介して上部に開口を有する所望筒形状に成型可能とし、前記筒形状の側壁部の底部に連設した両面テープを設けた複数の底部プレートを互いに貼り合わせて箱体を構成し、該箱体の内面部には上部開口の有底のビニール袋を設置し、該ビニール袋の上縁両側には前記箱体の上部開口より外方に突出する山形状の耳部が設けられることを特徴とする折畳式ごみ容器。
【請求項２】
前記ビニール袋は複数枚を積層して設置し、かつ各ビニール袋の底部にはそれぞれ山形状の外方に突出する湾曲底部が設けられ、前記箱体は多辺形状であることを特徴とする請求項１に記載の折畳式ごみ容器。
【請求項３】
前記ビニール袋の底部には、山形状の外方に突出する湾曲底部が設けられ、前記箱体はほぼ円形筒状に成型可能としたものであることを特徴とする請求項１に記載の折畳式ごみ容器。
【考案の詳細な説明】
【技術分野】
【０００１】
本考案は、特に、体積が小さく、収納しやすい折畳式ごみ容器に関するものである。
【背景技術】
【０００２】
従来のごみ容器は、プラスチック材料又は金属材料から成形された有底の一体容器からなり、その内部に直接ごみを収集するようにしたもの、或いは容器内部にビニール袋をセットし、ごみをビニール袋内に収集してビニール袋とともにごみを廃棄するようにしたもの等が提供されている。
【考案の開示】
【考案が解決しようとする課題】
【０００３】
しかしながら、前記従来のごみ容器は体積が大きく、持ち運びや収納が不便であったことから、使用利便性を更に向上させる必要があった。
そこで、案出されたのが本考案であって、体積が小さく、収納し易い折畳式ごみ容器を提供することを目的としている。
【課題を解決するための手段】
【０００４】
本願の請求項１に係る折畳式ごみ容器は、複数の折り線を有する板紙を、前記折り線を介して上部に開口を有する所望筒形状に成型可能とし、前記筒形状の側壁部の底部に連設した両面テープを設けた複数の底部プレートを互いに貼り合わせて箱体を構成し、該箱体の内面部には上部開口の有底のビニール袋を設置し、該ビニール袋の上縁両側には前記箱体の上部開口より外方に突出する山形状の耳部が設けられることを特徴とする。
【０００５】
請求項２の考案は、請求項１に記載の折畳式ごみ容器において、前記ビニール袋は複数枚を積層して設置し、かつ各ビニール袋の底部にはそれぞれ山形状の外方に突出する湾曲底部が設けられ、前記箱体は多辺形状であることを特徴とする。
請求項３の考案は、請求項１に記載の折畳式ごみ容器において、前記ビニール袋の底部に山形状の外方に突出する湾曲底部が設けられ、前記箱体はほぼ円形筒状に成型したものであることを特徴とする。
【考案の効果】
【０００６】
本考案は上記の課題を解決するものであり、板紙に折り線を形成させて折り曲げて所望筒形状の箱体を成型可能としたので、使用者は必要に応じて異なる形状の箱体を成型することができ、又、箱体をごみ容器として使用しない時は、前記箱体をプレート状に折畳んで小さく収納することができるので、収納場所をとらず利便性が高い。
【考案を実施するための最良の形態】
【０００７】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【実施例１】
【０００８】
図１は本考案に係る折畳式ごみ容器の第一実施例の使用状態を示す箱体の斜視図であり、図２は本考案に係る折畳式ごみ容器に用いられるビニール袋を示す分解斜視図であり、図３は本考案に係る折畳式ごみ容器の第一実施例の箱体の成型過程を示す図であり、図４は本考案に係る折畳式ごみ容器の第一実施例を示す斜視図である。図５は本考案に係る折畳式ごみ容器の箱体形状の変形例を示す斜視図であり、図６は本考案に係る折畳式ごみ容器の箱体形状の変形例を示す斜視図であり、図７は本考案に係る折畳式ごみ容器の箱体形状の変形例を示す斜視図である。
【０００９】
図１乃至図３に示すように、本考案に係る折畳式ごみ容器の第一実施例は、複数の折り線１１を有する板紙１０を、前記折り線１１を介して上部に開口を有する所望筒形状に成型可能とし、前記筒形状の側壁部１０ａの底部に、両面テープ１３を設けた複数の底部プレート１２を連設し、該底部プレート１２を内方に直角に折り曲げて、底部プレート１２同士を連結して底部を形成するようにした折り畳み可能な箱体１を構成し、該箱体１の内面部には上部が開口する有底のビニール袋２０を積層して設置し、該ビニール袋２０の上縁両側には前記箱体１の上部開口より外方に突出する山形状の耳部２１が設けられ、折畳式ごみ容器が形成される。
【００１０】
図３に示すように、前記箱体１はその底部に両面テープ１３を有する複数の底部プレート１２が設けられており、該板紙１０における折り線１１により、箱体１として成型しない状態では、扁平なプレート状に折り畳んだ状態で収納することができる。
【００１１】
本考案に係る折畳式ごみ容器をごみ容器として使用する場合には、板紙１０の底部プレート１２の周縁に両面テープ又は接着剤をつけて、前記底部プレート１２同士を貼り合わせて箱体１の底部を構成して、箱体１の内部に積層した状態の複数のビニール袋２０を重ねてセットして、ごみ容器として使用するものである。
前記ビニール袋２０は、上縁の両側に一対の山形状に突出した耳部２１が設けられると共に、底部には山形状に湾曲した底部２２が設けられている。
【００１２】
図３に示すように、本考案に係る折畳式ごみ容器の箱体１を成型する際、該板紙１０を展開させ、底部プレート１２を内部へ折り込むと共に、底部プレート１２における両面テープ１３によって各底部プレート１２をそれぞれ粘着結合するものである。  
【００１３】
前記板紙１０は、所定間隔で設けられた複数の折り線１１を介して、図４に示すように、展開した板紙１０を水平断面が六角形状の箱体１にしたり、図５に示すように、展開した板紙１０を四方形状の箱体２にしたり、又は、図６に示すように、展開した板紙１０を三角形状の箱体３にしたり、さらには、図７に示すように、展開した板紙１０をほぼ円形状の箱体４にすることが出来る。
【００１４】
また更には、所望とあらば、使用者は、前記板紙１０における折り線１１によって、該板紙１０を、他の形状、例えば楕円形状などの箱体にすることも勿論可能である。
【００１５】
さらにまた、前記箱体内に設置するビニール袋２０は、複数枚を積層した状態で設置することで、ごみを収集した内側のビニール袋２０を一個ずつ折畳式ごみ容器から取り出して廃棄することができると共に、最後のビニール袋２０となった場合には、前記箱体１と一緒に捨てることもでき、非常に便利である。
【産業上の利用可能性】
【００１６】
本考案は上記の構成を有するので、板紙に折り線を形成させて折り曲げる構成とすることにより、使用者は、箱体の設置場所に適応させて種々に異なる形状の箱体に形成することができ、組立完了した箱体内部にビニール袋を配設してごみ容器とすることができる。
また、折畳式ごみ容器の箱体として使用しない時は、扁平なプレート状に折畳んで積み重ねて収納することができるので、利便性が高い。
【図面の簡単な説明】
【００１７】
【図１】本考案に係る折畳式ごみ容器の箱体の第１実施例の使用状態を示す全体斜視図である。
【図２】本考案に係る折畳式ごみ容器の箱体に用いられるビニール袋の使用状態を示す分解斜視図である。
【図３】本考案に係る折畳式ごみ容器の箱体の第１実施例の成型過程を示す説明図である。
【図４】本考案に係る折畳式ごみ容器の箱体を六角形状に成型した状態の斜視図である。
【図５】本考案に係る折畳式ごみ容器の箱体を異なる形状の四角形状に成型した状態を示す斜視図である。
【図６】本考案に係る折畳式ごみ容器の箱体をさらに異なる形状の三角形状に成型した状態を示す斜視図である。
【図７】本考案に係る折畳式ごみ容器の箱体をさらに異なる形状のほぼ円柱形状に成型した状態を示す斜視図である。
【符号の説明】
【００１８】
１          箱体
２          四角形状の箱体
３          三角形状の箱体
４          円形形状の箱体
１０        板紙
１１        折り線
１２        底部プレート
１３        両面テープ
２０        ビニール袋
２１        耳部
２２        底部
【図１】
0003108769.tif 000003
【図２】
0003108769.tif 000004
【図３】
0003108769.tif 000005
【図４】
0003108769.tif 000006
【図５】
0003108769.tif 000007
【図６】
0003108769.tif 000008
【図７】
0003108769.tif 000009